(57)【要約】【課題】コネクタの低背化を図ることのできるレバー式コネクタを提供すること。【解決手段】雌雄一対のコネクタハウジング１０，２０と、一方のコネクタハウジング１０の両側面に回動可能に支持されてコネクタハウジング１０，２０相互の嵌合・離脱が可能な嵌合操作レバー４０と、コネクタハウジング１０，２０相互が嵌合完了状態になったときに、ロックアーム５２とロック部５３との係合により、両コネクタハウジングの嵌合完了状態をロックするロック機構５０と、を備えるレバー式コネクタ１において、ロック機構５０は、ロック部５３に係脱する際のロックアーム５２の可撓変位方向を、コネクタハウジングの幅方向に設定している。【選択図】図３
2014203758.tif 000002
【特許請求の範囲】
【請求項１】
雌雄嵌合する一対のコネクタハウジングと、
前記一方のコネクタハウジングの両側面に回動可能に支持されて、回動操作により前記一対のコネクタハウジング相互の嵌合・離脱が可能な嵌合操作レバーと、
前記コネクタハウジング相互が嵌合完了状態になったときに、ロックアームとロック部との係合により、両コネクタハウジングの嵌合完了状態をロックするロック機構と、
を備えるレバー式コネクタであって、
前記ロック機構は、前記ロック部に係脱する際の前記ロックアームの可撓変位方向が、前記コネクタハウジングの幅方向であることを特徴とするレバー式コネクタ。
【請求項２】
前記嵌合操作レバーは、前記一方のコネクタハウジングの両側面に回動可能に支持された一対のレバー本体と、前記一対のレバー本体の自由端同士を連結して前記コネクタハウジング相互の嵌合完了時には前記一方のコネクタハウジングの上面に接近する回動操作部と、を備え、
前記ロック機構は、
前記回動操作部の前記一方のコネクタハウジングの上面と対峙する面に立設されたアーム支持壁と、
前記アーム支持壁から前記一方のコネクタハウジングの前後方向に沿って延出した可撓弾性片の前端部に前記一方のコネクタハウジングの幅方向に突出した係合部を備えた前記ロックアームと、
前記一方のコネクタハウジングの上面に装備され、前記嵌合操作レバーの回動操作によって前記一対のコネクタハウジングが嵌合状態になったときに、前記係合部と係合して前記嵌合操作レバーの離脱方向への回動を規制する前記ロック部と、
を備えたことを特徴とする請求項１に記載のレバー式コネクタ。
【請求項３】
前記ロックアームの後端は、前記ロックアームをロック解除方向に変位させるための操作部であり、
前記回動操作部の前記一方のコネクタハウジングの上面と対峙する面には、前記ロックアームの後端のロック解除方向への変位量を規制する変位規制壁が装備されていることを特徴とする請求項２に記載のレバー式コネクタ。
【発明の詳細な説明】
【技術分野】
【０００１】
本発明は、レバー式コネクタに関する。
【背景技術】
【０００２】
図１１は、下記特許文献１に開示されたレバー式コネクタを示している。
このレバー式コネクタ２００は、雌雄嵌合する一対のコネクタハウジング３００，４００と、一方のコネクタハウジング３００の両側面に回動可能に支持された嵌合操作レバー３１０と、一対のコネクタハウジング３００，４００相互が嵌合完了状態になったときに両コネクタハウジング３００，４００の嵌合完了状態をロックするロック機構５００と、を備えている。
【０００３】
嵌合操作レバー３１０は、コネクタハウジング３００の両側面に回動可能に支持される一対のレバー本体３１１と、一対のレバー本体３１１の自由端同士を連結した回動操作部３１２と、を備えている。回動操作部３１２は、当該レバー本体３１１を回動操作時の操作部となる。
【０００４】
嵌合操作レバー３１０は、一対のコネクタハウジング３００，４００を嵌合開始位置に付き合わせた状態で、図１１の矢印Ｒ１方向に回動させると、コネクタハウジング４００をコネクタハウジング３００内に引き込んで、コネクタハウジング３００，４００相互の嵌合を完了させる。また、コネクタハウジング３００，４００相互が嵌合完了状態の時に、図１１の矢印Ｒ１とは逆方向に当該嵌合操作レバー３１０を回動させると、一対のコネクタハウジング３００，４００相互を離脱させることができる。
【０００５】
特許文献１におけるロック機構５００は、コネクタハウジング３００の上面に装備されたロックアーム５１０と、コネクタハウジング４００の上面に装備されたロック部５２０と、で構成される。
【０００６】
このロック機構５００は、両コネクタハウジング３００，４００の嵌合が完了したときに、ロックアーム５１０がロック部５２０に係合した状態になり、両コネクタハウジング３００，４００の嵌合完了状態をロックする。
【０００７】
特許文献１におけるロックアーム５１０は、図１１に矢印Ｙ１で示すコネクタハウジング３００の高さ方向に撓み変位可能に装備されている。このロックアーム５１０が、ロック部５２０に係脱する際には、矢印Ｙ１方向への可撓変位が伴う。
【０００８】
特許文献１のレバー式コネクタ２００の場合、ロック機構５００におけるロック状態を解除する場合には、図１１に矢印Ｙ２で示す方向に、ロックアーム５１０の端部を押下する。これにより、ロックアーム５１０は、先端側がロック部５２０から外れる方向に変位して、ロックが解除される。
【先行技術文献】
【特許文献】
【０００９】
【特許文献１】特開２００８−１３０３２２号公報
【発明の概要】
【発明が解決しようとする課題】
【００１０】
ところで、車両の電気系統に使用されるレバー式コネクタの場合、高密度実装等に応えるために、コネクタの低背化の要求が強い。
【００１１】
しかし、特許文献１のレバー式コネクタ２００の場合、ロックアーム５１０の変位方向をコネクタの高さ方向に設定していて、コネクタハウジング３００の上方に、ロックアーム５１０の変位を許容するスペースを確保しなければならない。そのため、コネクタの低背化が難しいという問題が生じた。
【００１２】
そこで、本発明の目的は、上記課題を解消することに係り、コネクタの低背化を図ることのできるレバー式コネクタを提供することにある。
【課題を解決するための手段】
【００１３】
本発明の前述した目的は、下記の構成により達成される。
（１）  雌雄嵌合する一対のコネクタハウジングと、
前記一方のコネクタハウジングの両側面に回動可能に支持されて、回動操作により前記一対のコネクタハウジング相互の嵌合・離脱が可能な嵌合操作レバーと、
前記コネクタハウジング相互が嵌合完了状態になったときに、ロックアームとロック部との係合により、両コネクタハウジングの嵌合完了状態をロックするロック機構と、
を備えるレバー式コネクタであって、
前記ロック機構は、前記ロック部に係脱する際の前記ロックアームの可撓変位方向が、前記コネクタハウジングの幅方向であることを特徴とするレバー式コネクタ。
【００１４】
（２）  前記嵌合操作レバーは、前記一方のコネクタハウジングの両側面に回動可能に支持された一対のレバー本体と、前記一対のレバー本体の自由端同士を連結して前記コネクタハウジング相互の嵌合完了時には前記一方のコネクタハウジングの上面に接近する回動操作部と、を備え、
前記ロック機構は、
前記回動操作部の前記一方のコネクタハウジングの上面と対峙する面に立設されたアーム支持壁と、
前記アーム支持壁から前記一方のコネクタハウジングの前後方向に沿って延出した可撓弾性片の前端部に前記一方のコネクタハウジングの幅方向に突出した係合部を備えた前記ロックアームと、
前記一方のコネクタハウジングの上面に装備され、前記嵌合操作レバーの回動操作によって前記一対のコネクタハウジングが嵌合状態になったときに、前記係合部と係合して前記嵌合操作レバーの離脱方向への回動を規制する前記ロック部と、
を備えたことを特徴とする上記（１）に記載のレバー式コネクタ。
【００１５】
（３）  前記ロックアームの後端は、前記ロックアームをロック解除方向に変位させるための操作部であり、
前記回動操作部の前記一方のコネクタハウジングの上面と対峙する面には、前記ロックアームの後端のロック解除方向への変位量を規制する変位規制壁が装備されていることを特徴とする上記（２）に記載のレバー式コネクタ。
【００１６】
上記（１）の構成によれば、コネクタハウジング相互の嵌合状態をロックしたり、あるいはロック状態を解除したりするときのロックアームの可撓変位方向は、コネクタハウジングの幅方向に設定されている。
【００１７】
従って、ロックアームの変位を許容するためのスペースは、コネクタハウジングの幅方向に確保すれば良く、コネクタハウジングの高さ方向に確保する必要がなくなる。
従って、コネクタの低背化を図ることができる。
【００１８】
上記（２）の構成によれば、ロック機構におけるロックアームは、嵌合操作レバーの回動操作部に装備される。また、ロックアームと係合するロック機構のロック部は、嵌合操作レバーが回動可能に取り付けられる一方のコネクタハウジングの上面に装備される。ここに、コネクタハウジング相互の嵌合を完了させたときの嵌合操作レバーの回動操作部の位置は、例えば当該嵌合操作レバーの回動範囲等を適宜に設定することで、一方のコネクタハウジングの上面に近接した位置に設定することができる。
【００１９】
従って、上記（２）の構成によれば、近接配置が可能な嵌合操作レバーの回動操作部とコネクタハウジングの上面との間に、コンパクトにロック機構を納める構成となり、レバー式コネクタの小型化を図ることができる。
【００２０】
上記（３）の構成によれば、ロック解除のために、ロックアームの後端部をロック解除方向に変位させる際、回動操作部に装備した変位規制壁が、ロックアームの後端部の変位量を規制する。従って、ロックアームの後端部を、誤って過度に変位させることを防止することができ、過度の変位によるロックアームの破損を防止することができる。
【発明の効果】
【００２１】
本発明によるレバー式コネクタによれば、コネクタの低背化を図ることができる。
【００２２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２３】
【図１】図１は本発明に係るレバー式コネクタの一実施形態の分解斜視図である。
【図２】図２は本発明に係るレバー式コネクタの一実施形態の嵌合完了状態の斜視図である。
【図３】図３は図２のＡ矢視図である。
【図４】図４は図３のＢ−Ｂ断面図である。
【図５】図５は図４に示した第１のコネクタハウジングの拡大図である。
【図６】図６はコネクタ結合部の斜視図である。
【図７】図７は図３に示した嵌合操作レバーの拡大平面図である。
【図８】図８は図７に示した嵌合操作レバーをその後方の斜め上方から視た斜視図である。
【図９】図９は図８に示した嵌合操作レバーのＤ−Ｄ断面斜視図である。
【図１０】図１０は図９に示したロックアームの拡大斜視図である。
【図１１】図１１は従来のレバー式コネクタの分解斜視図である。
【発明を実施するための形態】
【００２４】
以下、本発明に係るレバー式コネクタの好適な実施形態について、図面を参照して詳細に説明する。
図１〜図１０は本発明に係るレバー式コネクタの一実施形態を示したものである。
【００２５】
図１は本発明の一実施形態のレバー式コネクタの分解斜視図、図２は本発明の一実施形態のレバー式コネクタの嵌合完了状態の斜視図、図３は図２のＡ矢視図、図４は図３のＢ−Ｂ断面図、図５は図４に示した一方のコネクタハウジングの拡大図、図６はコネクタ結合部の斜視図、図７は図３に示した嵌合操作レバーの拡大平面図で、図８は図７に示した嵌合操作レバーをその後方の斜め上方から視た斜視図、図９は図８に示した嵌合操作レバーのＤ−Ｄ断面斜視図、図１０は図９に示したロックアームの拡大斜視図である。
【００２６】
この一実施形態のレバー式コネクタ１は、雌雄嵌合する一対のコネクタハウジング１０，２０と、一方のコネクタハウジング１０の両側面に回動可能に支持された嵌合操作レバー４０と、コネクタハウジング相互が嵌合完了状態になったときに両コネクタハウジングの嵌合完了状態をロックするロック機構５０と、を備えている。
【００２７】
コネクタハウジング１０は、電線６１の端部に接続された雌端子金具（不図示）を収容している。このコネクタハウジング１０は、嵌合操作レバー４０を回動自在に支持するレバー支持用ボス部１１が、両側面に装備されている。
【００２８】
コネクタハウジング２０は、コネクタハウジング１０内の雌端子金具に嵌合する雄端子金具（不図示）を収容している。そして、このコネクタハウジング２０は、その先端に、コネクタハウジング１０の先端部が嵌合するフード部２１を有している。また、図１に示すように、フード部２１の両外側面には、嵌合操作レバー４０に係合する嵌合操作用のボス部２２が突設されている。
【００２９】
本実施形態のレバー式コネクタ１では、コネクタハウジング２０のフード部２１に、コネクタハウジング１０の先端部を嵌合させることで、それぞれのハウジングに収容されている端子金具相互が嵌合接続される。
【００３０】
コネクタハウジング２０は、図３及び図４に示すように、箱形のケース７０に取り付けられている。コネクタハウジング２０は、図４に示すように、ケース７０に取り付けられた状態で、フード部２１が、ケース７０の外部に突出している。
【００３１】
ケース７０は、例えば、コネクタハウジング１０に収容された電線６１に接続される回路基板や、ヒューズ等の電子部品を収容する電気接続箱である。
【００３２】
嵌合操作レバー４０は、図１及び図７に示すように、コネクタハウジング１０の両側面のレバー支持用ボス部１１に回動可能に支持された一対のレバー本体４１と、これらの一対のレバー本体４１の自由端同士を連結した回動操作部４２と、を備えている。
【００３３】
コネクタハウジング１０の両側面に対峙する各レバー本体４１の内面には、図１及び図８に示すように、カム溝４３が形成されている。このカム溝４３は、コネクタハウジング２０の両側面のボス部２２が摺動可能な溝である。このカム溝４３は、コネクタハウジング１０，２０相互を嵌合開始位置に付き合わせたときに、溝の入り口４３ａ（図８参照）にボス部２２が係合し、その状態から、当該嵌合操作レバー４０を嵌合方向（図１に示した矢印Ｒ２とは逆方向）に回動させたときに、ボス部２２を溝の内奥に引き込むことで、コネクタハウジング１０とコネクタハウジング２０との嵌合を深める。
【００３４】
なお、図１に示した嵌合操作レバー４０の位置は、コネクタハウジング相互の嵌合が完了した状態の時のものである。嵌合操作レバー４０は、この嵌合完了状態の姿勢から、図１の矢印Ｒ２方向に回動させることで、嵌合完了状態にあるコネクタハウジング相互を離脱方向に移動させて、コネクタハウジング相互を離脱状態に戻すことができる。
【００３５】
即ち、本実施形態の嵌合操作レバー４０は、回動操作により前記一対のコネクタハウジング１０，２０相互の嵌合・離脱が可能である。
【００３６】
回動操作部４２は、当該嵌合操作レバー４０を回動操作する際に手指をかける部位である。この回動操作部４２に手指をかけて、嵌合操作レバー４０を図１の矢印Ｒ２方向に回動させることで、嵌合完了状態のコネクタハウジングを離脱状態に戻すことができる。また、コネクタハウジング１０，２０相互を嵌合開始位置に付き合わせて、コネクタハウジング２０のボス部２２をカム溝４３の入り口４３ａに係合させた状態で、当該嵌合操作レバー４０を嵌合方向（図１の矢印Ｒ２と反対方向）に回動させることで、ボス部２２を溝の内奥に引き込み、コネクタハウジング１０とコネクタハウジング２０とを嵌合完了状態にすることができる。
【００３７】
本実施形態の場合、回動操作部４２は、図７〜図９に示すように、平板状である。この回動操作部４２は、コネクタハウジング１０，２０相互の嵌合完了時には、図２〜図４に示すように、コネクタハウジング１０の上面に略平行な姿勢で、コネクタハウジング１０の上面に接近する。
【００３８】
ロック機構５０は、図９及び図１０に示すアーム支持壁５１及びロックアーム５２と、図５に示すロック部５３と、で構成されている。
【００３９】
アーム支持壁５１は、回動操作部４２のコネクタハウジング１０の上面と対峙する面４２ａに立設されている。アーム支持壁５１は、一対のレバー本体４１の対向方向（図９の矢印Ｗ２方向で、コネクタハウジングの幅方向でもある）に延出している。
【００４０】
本実施形態の場合、アーム支持壁５１は、図９に示すように、回動操作部４２の面４２ａに垂設された補強壁４５にも繋がっている。また、一対のアーム支持壁５１に対応する一対の補強壁４５は、図１及び図８に示すように、回動操作部４２と平行な平板状の補強壁４６で繋がっている。
【００４１】
ロックアーム５２は、図１０に示すように、可撓弾性片５２１と、この可撓弾性片５２１の前端に突設された係合部５２２と、を備えている。
【００４２】
可撓弾性片５２１は、図９に示すように、アーム支持壁５１からコネクタハウジング１０の前後方向（図９の矢印Ｘ２方向）に沿って延出している。この可撓弾性片５２１は、図７に示すように、自由端である前端５２１ａ及び後端５２１ｂが、コネクタハウジング１０の幅方向（図１０に示す矢印Ｗ３，Ｗ４方向）に可撓変位可能である。
【００４３】
係合部５２２は、それぞれの可撓弾性片５２１の前端の内側に、コネクタハウジング１０の幅方向に突出して設けられている。この係合部５２２は、下方に向かって徐々に肉厚が小さくなるテーパ面を５２２ａ有している。この係合部５２２の上端面５２２ｂが、図５に示すように、ロック部５３と係合する係合面となる。
【００４４】
ロックアーム５２の後端（可撓弾性片５２１の後端５２１ｂ）は、当該ロックアーム５２の前端をロック解除方向に変位させるための操作部である。図７に示すように、各ロックアーム５２の後端５２１ｂを、矢印Ｘ３，Ｘ４方向に変位させると、各ロックアーム５２の前端５２１ａは、図７に矢印Ｙ３，Ｙ４で示すように、コネクタハウジング１０の幅方向外側に向かって振れて、後述するロック部５３との係合が外れる。
【００４５】
本実施形態の場合、図７に示すように、回動操作部４２には、それぞれのロックアーム５２の後端５２１ｂを露出させる切欠４２３が設けられている。該切欠４２３が装備されていることで、各ロックアーム５２の後端５２１ｂの操作が容易になる。
【００４６】
本実施形態の場合、コネクタハウジング１０の上面と対峙する回動操作部４２の面４２ａには、図９に示すように、変位規制壁５５が装備されている。
【００４７】
この変位規制壁５５は、図９に示すように、ロックアーム５２の延在方向と平行に装備されていて、ロックアーム５２の後端（可撓弾性片５２１の後端５２１ｂ）のロック解除方向への変位量を規制する。
【００４８】
本実施形態の場合、変位規制壁５５は、図５に示すように、上端が回動操作部４２に接続し、下端が補強壁４６に接続することで、高い剛性を確保している。
【００４９】
ロック部５３は、図３〜図５に示すように、コネクタハウジング１０の前端側から後端側に張り出すように、コネクタハウジング１０の上面に装備されている。このロック部５３は、図５に示すように、嵌合操作レバー４０の嵌合方向（図５の矢印Ｒ５方向）への回動操作によって一対のコネクタハウジング１０，２０が嵌合状態になったときに、嵌合操作レバー４０の回動に伴って降下してくるロックアーム５２の係合部５２２の上端面５２２ｂと係合して、嵌合操作レバー４０の離脱方向（図５の矢印Ｒ５と逆方向）への回動を規制する。
【００５０】
ロックアーム５２の係合部５２２は、ロック部５３に係合する際には、係合部５２２のテーパ面５２２ａがロック部５３の側面により押圧されることで、コネクタハウジング１０の幅方向の外側に向かって変位する。そして、コネクタハウジング１０，２０の嵌合完了時には、係合部５２２の上端面５２２ｂが、図５に示すように、ロック部５３よりも下方に位置するため、ロックアーム５２の係合部５２２は、可撓弾性片５２１の弾性復元力でコネクタハウジング１０の幅方向内側に戻る。従って、ロックアーム５２の係合部５２２の上端面５２２ｂが、ロック部５３により押さえられて、ロックアーム５２とロック部５３とが形状したロック状態になる。
【００５１】
ロック部５３とロックアーム５２との係合によるロック状態を解除するには、図３に矢印Ｘ５，Ｘ６で示すように、各ロックアーム５２の後端５２１ｂを、コネクタハウジング１０の幅方向の内側に向かって変位させる。これにより、各ロックアーム５２の前端５２１ａが、図３に矢印Ｙ５，Ｙ６で示すように、コネクタハウジング１０の幅方向の外側に向かって変位し、ロック部５３とロックアーム５２との係合が外れる。ロック部５３とロックアーム５２との係合が外れた状態では、嵌合操作レバー４０を、図５の矢印Ｒ５と逆方向に回動させて、コネクタハウジング１０，２０相互を離脱させることができる。
【００５２】
即ち、本実施形態におけるロック機構５０は、ロック部５３に係脱する際のロックアーム５２の可撓変位方向が、コネクタハウジング１０の幅方向である。
【００５３】
以上に説明した一実施形態のレバー式コネクタ１の構成によれば、コネクタハウジング１０，２０相互の嵌合状態をロックしたり、あるいはロック状態を解除したりするときのロックアーム５２の可撓変位方向は、コネクタハウジング１０，２０の幅方向に設定されている。
【００５４】
従って、ロックアーム５２の変位を許容するためのスペースは、コネクタハウジング１０，２０の幅方向に確保すれば良く、コネクタハウジング１０，２０の高さ方向に確保する必要がなくなる。
従って、コネクタの低背化を図ることができる。
【００５５】
また、一実施形態のレバー式コネクタ１の構成によれば、ロック機構５０におけるロックアーム５２は、嵌合操作レバー４０の回動操作部４２に装備される。また、ロックアーム５２と係合するロック機構５０のロック部５３は、嵌合操作レバー４０が回動可能に取り付けられる一方のコネクタハウジング１０の上面に装備される。ここに、コネクタハウジング１０，２０相互の嵌合を完了させたときの嵌合操作レバー４０の回動操作部４２の位置は、例えば当該嵌合操作レバー４０の回動範囲等を適宜に設定することで、図５にも示しているようにコネクタハウジング１０の上面に近接した位置に設定することができる。
【００５６】
従って、一実施形態のレバー式コネクタ１は、近接配置が可能な嵌合操作レバー４０の回動操作部４２とコネクタハウジング１０の上面との間に、コンパクトにロック機構５０を納める構成となり、レバー式コネクタ１の小型化を図ることができる。
【００５７】
また、一実施形態のレバー式コネクタ１の構成によれば、ロック解除のために、ロックアーム５２の後端部をロック解除方向に変位させる際、回動操作部４２に装備した変位規制壁５５が、ロックアーム５２の後端部の変位量を規制する。従って、ロックアーム５２の後端部を、誤って過度に変位させることを防止することができ、過度の変位によるロックアーム５２の破損を防止することができる。
【００５８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５９】
例えば、本発明のレバー式コネクタにおいてロック機構を構成するロックアーム及びロック部の形状及び配置は、上記実施形態に開示した形状及び配置に限らない。コネクタハウジング相互の嵌合状態をロックしたり、あるいはロック状態を解除したりするときのロックアームの可撓変位方向がコネクタハウジングの幅方向になれば、上記実施形態以外の形状や配置にすることが可能である。
【００６０】
ここで、上述した本発明に係るレバー式コネクタの実施形態の特徴をそれぞれ以下［１］〜［３］に簡潔に纏めて列記する。
【００６１】
［１］  雌雄嵌合する一対のコネクタハウジング（１０，２０）と、
前記一方のコネクタハウジング（１０）の両側面に回動可能に支持されて、回動操作により前記一対のコネクタハウジング（１０，２０）相互の嵌合・離脱が可能な嵌合操作レバー（４０）と、
前記コネクタハウジング（１０，２０）相互が嵌合完了状態になったときに、ロックアーム（５２）とロック部（５３）との係合により、両コネクタハウジングの嵌合完了状態をロックするロック機構（５０）と、
を備えるレバー式コネクタ（１）であって、
前記ロック機構（５０）は、前記ロック部（５３）に係脱する際の前記ロックアーム（５２）の可撓変位方向が、前記コネクタハウジングの幅方向であることを特徴とするレバー式コネクタ（１）。
【００６２】
［２］  前記嵌合操作レバー（４０）は、前記一方のコネクタハウジング（１０）の両側面に回動可能に支持された一対のレバー本体（４１）と、前記一対のレバー本体（４１）の自由端同士を連結して前記コネクタハウジング（１０，２０）相互の嵌合完了時には前記一方のコネクタハウジング（１０）の上面に接近する回動操作部（４２）と、を備え、
前記ロック機構（５０）は、
前記回動操作部（４２）の前記一方のコネクタハウジング（１０）の上面と対峙する面（４２ａ）に立設されたアーム支持壁（５１）と、
前記アーム支持壁（５１）から前記一方のコネクタハウジング（１０）の前後方向に沿って延出した可撓弾性片（５２１）の前端部に前記一方のコネクタハウジング（１０）の幅方向に突出した係合部（５２２）を備えた前記ロックアーム（５２）と、
前記一方のコネクタハウジング（１０）の上面に装備され、前記嵌合操作レバー（４０）の回動操作によって前記一対のコネクタハウジング（１０，２０）が嵌合状態になったときに、前記係合部（５２２）と係合して前記嵌合操作レバー（４０）の離脱方向への回動を規制する前記ロック部（５３）と、
を備えたことを特徴とする上記［１］に記載のレバー式コネクタ（１）。
【００６３】
［３］  前記ロックアーム（５２）の後端（５２１ｂ）は、前記ロックアーム（５２）をロック解除方向に変位させるための操作部であり、
前記回動操作部（４２）の前記一方のコネクタハウジング（１０）の上面と対峙する面（４２ａ）には、前記ロックアーム（５２）の後端（５２１ｂ）のロック解除方向への変位量を規制する変位規制壁（５５）が装備されていることを特徴とする上記［２］に記載のレバー式コネクタ（１）。
【符号の説明】
【００６４】
１  レバー式コネクタ
１０，２０  コネクタハウジング
４０  嵌合操作レバー
４１  レバー本体
４２  回動操作部
４２ａ  面
５０  ロック機構
５１  アーム支持壁
５２  ロックアーム
５３  ロック部
５５  変位規制壁
５２１  可撓弾性片
５２１ｂ  後端
５２２  係合部
５２２ｂ  上端面
【図１】
2014203758.tif 000003
【図２】
2014203758.tif 000004
【図３】
2014203758.tif 000005
【図４】
2014203758.tif 000006
【図５】
2014203758.tif 000007
【図６】
2014203758.tif 000008
【図７】
2014203758.tif 000009
【図８】
2014203758.tif 000010
【図９】
2014203758.tif 000011
【図１０】
2014203758.tif 000012
【図１１】
2014203758.tif 000013